(57)【要約】【課題】異物侵入防止性能と防水構造性能に優れており、メンテナンスを容易に行える表示装置を提供する。【解決手段】  本発明の表示装置は、表示パネル10を収容する筐体20と、筐体20内の空間と連通する通気部30と、通気部30を塞ぐ蓋体60とを備えている。蓋体60には、第１通気口63と、第１通気口63に並設される第２通気口63とが形成されている。第１通気口63と第２通気口63とを介して、筐体20内に外気が導入され、若しくは、筐体20内の空気が外に排出される。第１通気口63には、蓋体60の外面から突出し、第２通気口63側に開放した第１フード64が設けられる。第２通気口63には、蓋体60の外面から突出し、第１通気口63側に開放した第２フード64が設けられる。【選択図】図２
2013134418.tif 000002
【特許請求の範囲】
【請求項１】
表示パネルと、前記表示パネルを収容する筐体と、前記筐体内の空間と連通する通気部と、前記通気部を塞ぐ蓋体とを備えており、
前記蓋体には、第１通気口と、前記第１通気口に並設される第２通気口とが形成されており、
前記第１通気口と前記第２通気口とを介して、前記筐体内に外気が導入され、若しくは、前記筐体内の空気が外に排出され、
前記第１通気口には、前記蓋体の外面から突出し、前記第２通気口側に開放した第１フードが設けられ、
前記第２通気口には、前記蓋体の外面から突出し、前記第１通気口側に開放した第２フードが設けられている表示装置。
【請求項２】
前記蓋体は中空に形成されると共に、前記蓋体の内部空間は前記通気部と連通し、
前記蓋体内には、前記第１通気口から前記蓋体内に入った水と、前記第２通気口から前記蓋体内に入った水とが、前記通気部に向かって移動するのを抑制又は防止する邪魔板が配置されている、請求項１に記載の表示装置。
【請求項３】
前記蓋体には、前記蓋体内に入った水をその外部に排出する排水口が形成されている、請求項２に記載の表示装置。
【請求項４】
前記通気部は、防塵フィルタを備えており、
前記蓋体には、前記防塵フィルタに対応した開口が形成されており、前記防塵フィルタの収容ケース又は前記蓋体には、前記蓋体と前記収容ケースとの間を気密にシールするシール部材が設けられている、請求項２又は請求項３に記載の表示装置。
【請求項５】
前記蓋体は開閉自在に設けられており、前記蓋体又は前記通気部には、前記蓋体の閉状態にて、前記蓋体と前記通気部との間を水密にシールするシール部材を備えている、請求項１乃至４の何れかに記載の表示装置。
【請求項６】
前記蓋体には、前記第２通気口と反対側にて前記第１通気口に併設される第３通気口が、又は、前記第１通気口と反対側にて前記第２通気口に併設される第４通気口が形成されており、
前記第３通気口には、前記蓋体の外面から突出し、前記第２通気口側に開放した第３フードが設けられており、
前記第４通気口には、前記蓋体の外面から突出し、前記第１通気口側に開放した第４フードが設けられている、請求項１乃至５の何れかに記載の表示装置。
【発明の詳細な説明】
【技術分野】
【０００１】
本発明は、異物侵入防止構造と防水構造を有する表示装置に関する。
【背景技術】
【０００２】
液晶表示パネルやプラズマ表示パネル等の画像や映像を表示する表示パネルを備える表示装置では、外界からの影響(気温の上昇や直射日光の照射)や表示パネル自身の放熱に起因した表示パネルの温度上昇により、表示パネルの誤動作が生じる恐れがある。故に、このような表示装置では、温度上昇による誤動作を防止するために、表示パネルの冷却又は放熱が必要とされている。冷却手法としては、ファンを用いて筐体内に外気を取り込んで表示パネルを冷却する手法が一般的である。
【０００３】
表示装置が屋外に常設される場合には、冷却構造に加えて、ゴミや塵などの異物侵入を防止する異物侵入防止構造と、雨滴などの水の浸入を防止する防水構造とを、表示装置に設ける必要がある。例えば、特許文献１の表示装置では、筐体のリアカバーに開けられた吸気穴を覆うように、防塵フィルタを備えたファンガード(フード)が着脱自在に設けられている。筐体内に設けられたシロッコファンが駆動すると、ファンガードの開放側から外気が吸入されて、防塵フィルタに送られる。防塵フィルタで除塵された空気は、吸気穴を介してシロッコファンに送られて筐体内に吐出され、筐体内に収納されたＬＥＤ表示装置を冷却する。筐体内に導入された空気は、筐体の上部に設けられた排気穴から表示装置の外部に排出される。
【０００４】
特許文献１に記載の表示装置では、下方に開放したファンガードが、筐体の吸気穴(及び防塵フィルタ)を覆うように設けられているので、筐体内への雨滴の直接的な浸入が抑制されている。
【先行技術文献】
【特許文献】
【０００５】
【特許文献１】特開２０１０−１０７６５７号公報
【特許文献２】特開２０１１−１２８４３２号公報
【発明の概要】
【発明が解決しようとする課題】
【０００６】
特許文献１に記載の表示装置に設けられているファンガードは下側に大きく開放している。故に、ファンガード内に比較的大きなゴミが入り込んで、防塵フィルタの目詰まりが起こり易い。また、暴風雨に曝されると、壁や地面に当たって飛散した雨滴がファンガード内に入り込み、さらには筐体内に浸入する事態が起こり得る。
【０００７】
さらに、特許文献１に記載の表示装置では、防塵フィルタを保持した状態でファンガードが筐体に対して着脱されるが(特許文献１の図８参照)、ファンガードとリアカバーの間に防水構造が設けられていないので、ファンガードとリアカバーの隙間から水が筐体内に浸入する事態が起こり得る。また、防塵フィルタのメンテナンスをするために、ファンガードを筐体から取り外す作業を行い、さらに、防塵フィルタをファンガードから取り外す作業を行うのは面倒である。
【０００８】
ファンガードが装着された状態で防塵フィルタのメンテナンスを行う場合、ファンガードの下側から防塵フィルタの点検や清掃を行う必要がある。このようなメンテナンス作業は、作業効率や作業者の負担の点から好ましくない。
【０００９】
本発明は、上記の問題を解決するものであり、異物侵入防止性能と防水構造性能に優れており、さらには、メンテナンスを容易に行える表示装置を提供する。
【課題を解決するための手段】
【００１０】
本発明の表示装置は、表示パネルと、前記表示パネルを収容する筐体と、前記筐体内の空間と連通する通気部と、前記通気部を塞ぐ蓋体とを備えており、前記蓋体には、第１通気口と、前記第１通気口に並設される第２通気口とが形成されており、前記第１通気口と前記第２通気口とを介して、前記筐体内に外気が導入され、若しくは、前記筐体内の空気が外に排出され、前記第１通気口には、前記蓋体の外面から突出し、前記第２通気口側に開放した第１フードが設けられ、前記第２通気口には、前記蓋体の外面から突出し、前記第１通気口側に開放した第２フードが設けられている。
【００１１】
上記構成において、前記蓋体は中空に形成されると共に、前記蓋体の内部空間は前記通気部と連通し、前記蓋体内には、前記第１通気口から前記蓋体内に入った水と、前記第２通気口から前記蓋体内に入った水とが、前記通気部に向かって移動するのを抑制又は防止する邪魔板が配置されてよい。
【００１２】
さらに、上記構成において、前記蓋体には、前記蓋体内に入った水をその外部に排出する排水口が形成されてよい。
【００１３】
また、上記構成において、前記通気部は、防塵フィルタを備えており、前記蓋体には、前記防塵フィルタに対応した開口が形成されており、前記防塵フィルタの収容ケース又は前記蓋体には、前記蓋体と前記収容ケースとの間を気密にシールするシール部材が設けられてよい。
【００１４】
上記構成において、前記蓋体は開閉自在に設けられており、前記蓋体又は前記通気部は、前記蓋体の閉状態にて、前記蓋体と前記通気部との間を水密にシールするシール部材を備えてよい。
【００１５】
上記構成において、前記蓋体には、前記第２通気口と反対側にて前記第１通気口に併設される第３通気口が、又は、前記第１通気口と反対側にて前記第２通気口に併設される第４通気口が形成されており、前記第３通気口には、前記蓋体の外面から突出し、前記第２通気口側に開放した第３フードが設けられており、前記第４通気口には、前記蓋体の外面から突出し、前記第１通気口側に開放した第４フードが設けられてよい。
【発明の効果】
【００１６】
本発明では、通気部の開口を塞ぐ蓋体に第１通気口と第２通気口とが併設されており、第１通気口を覆う第１フードが第２通気口側に開放し、第２通気口を覆う第１フードが第２通気口側に開放している。これにより、第２フードが障害となることで、ゴミや雨滴が第１フードの開放側から第１通気口に入る事態が抑制又は防止され、第１フードが障害となることで、ゴミや雨滴が第２フードの開放側から第２通気口に入る事態が抑制又は防止される。
【００１７】
第１通気口に併設される第３通気口を覆う第３フードを第２通気口側に開放することで、第１フードが障害となって、ゴミや雨滴が第３フードの開放側から第３通気口に入る事態が抑制又は防止される。第２通気口に併設される第４通気口の各々を覆う第４フードを第１通気口側に開放することで、第２フードが障害となって、ゴミや雨滴が第４フードの開放側から第４通気口に入る事態が抑制又は防止される。
【００１８】
また、本発明では、蓋体に形成された通気口とフードが上記のように構成されているので、蓋体に対してある向きで飛散する水が、第１通気口側に開放した通気口から蓋体内に入り込めたとしても、第２通気口側に開放した通気口から蓋体内に入り込む事態は抑制又は防止される。また、蓋体に対してある向きで飛散する水が、第２通気口側に開放した通気口から蓋体内に入り込めたとしても、第１通気口側に開放した通気口から蓋体内に入り込む事態は抑制又は防止される。
【００１９】
蓋体を中空にし、その内部に邪魔板を配置することで、第１通気口や第２通気口から水が入り込んだ水が通気部に浸入する事態が抑制又は防止される。蓋体を開閉自在に設けると共に、蓋体と通気部との間を水密にシールするシール部材を設けることで、防水性能を損なうことなく、表示装置の通気部のメンテナンスが容易になる。
【図面の簡単な説明】
【００２０】
【図１】図１は、本発明の実施例である表示装置(1)を前面側から見た斜視図である。
【図２】図２は、本発明の実施例である表示装置(1)を背面側から見た斜視図である。
【図３】図３は、本発明の実施例である表示装置(1)を背面側から見た分解斜視図である。
【図４】図４は、図２に示すＡ−Ａ線を含む平面で破断した矢視断面図である。
【図５】図５は、本発明の実施例である表示装置(1)を背面側から見た斜視図であり、吸気側蓋体と排気側蓋体が開いた状態を示す。
【図６】図６は、本発明の実施例である表示装置(1)の吸気側蓋体の正面図である。
【図７】図７は、本発明の実施例である表示装置(1)の吸気側蓋体の側面図である。
【図８】図８は、本発明の実施例である表示装置(1)の吸気側蓋体の下面図である。
【図９】図９は、本発明の実施例である表示装置(1)の吸気側蓋体の背面図である。
【図１０】図１０は、図６に示すＢ−Ｂ線を含む平面で破断した矢視断面図である。
【図１１】図１１は、吸気側防塵フィルタの分解斜視図である。
【図１２】図１２は、本発明の実施例である表示装置(1)の背面図であり、表示装置が縦置き状態で使用されている状態を示している。
【発明を実施するための形態】
【００２１】
以下、本発明の実施例である表示装置について、図面を参照して具体的に説明する。本実施例の表示装置は、画像、映像や各種情報を表示するために屋外に設置され、例えば、歩行者に広告宣伝用の画像や映像を見せる目的で屋外に設置される。本実施例では、表示装置は、地面に立設された支柱や建物の外壁に着脱自在に取り付けられるが、自動販売機などの他の装置と組み合わされて屋外に設置されてもよい。
【００２２】
図１は、本発明の一実施例である表示装置(1)を前面側から見た斜視図であり、図２は、背面側から見た斜視図であり、図３は、背面側から見た分解斜視図であり、図４は、図２に示すＡ−Ａ線を含む水平面で表示装置を破断した矢視断面図である。
【００２３】
表示装置(1)は、映像や画像などを表示する表示パネル(10)(図３及び図４参照)と、該表示パネル(10)を内部に収納する筐体(20)とを備えている。本実施例では、表示パネル(10)は液晶表示パネルであって、偏光フィルタ、カラーフィルタ、液晶層、アレイ基板、導光板や光源等を備えている。表示パネル(10)の後側には、表示パネル(10)を制御する回路基板(11)が設置されている(図３及び図４参照)。本発明では、表示パネル(10)の種別は限定されず、液晶表示パネルの代わりに、例えば、プラズマ表示パネルやＬＥＤ表示パネルが使用されてもよい。
【００２４】
筐体(20)は、略矩形の厚板状の外形を有しており、表示パネル(10)が内側に装着される略ロ字状の第１フレーム(21)と、表示パネル(10)の前面(表示面)を覆うように第１フレーム(21)に取り付けられる前カバー(22)と、表示パネル(10)の背面を覆うように第１フレーム(21)に取り付けられる後カバー(23)とを含んでいる。前カバー(22)は、第１フレーム(21)に嵌められてネジ止め固定される略ロ字状の第２フレーム(24)を備えている。第２フレーム(24)の前側端部には、帯状の突縁(25)が内向きに形成されている。突縁(25)の背面には第２フレーム(24)の開口を塞ぐように略矩形の保護板(26)が取り付けられている。保護板(26)は、表示パネル(10)を保護するために設けられており、表示パネル(10)に表示される画像や映像動が外部から視認できるように、ガラス等の無色透明な材料で形成されている。
【００２５】
後カバー(23)は、略矩形の板材であり、その短手側両端部には略矩形の開口(27a)(27b)が形成されており(図３参照)、その略中央には、表示装置(1)の後方に突出する掛止用部材(28)が取り付けられている。実施例の掛止用部材(28)には、後カバー(23)に対向するように４つの開口が形成されており、これら開口の各々には、例えば、支柱や建物の外壁に(水平方向に向けて)突設された支持部材に設けられた係止部が挿入される。後カバー(23)の４隅には、表示装置(1)の運搬に使用されるハンドル(29)が夫々設けられている。
【００２６】
後カバー(23)には、筐体(20)内に外気を導入する吸気部(吸気ユニット)(30)と、筐体(20)内の空気を表示装置(1)の外に排出する排気部(排気ユニット)(50)とが取り付けられる。吸気部(30)と排気部(50)は、本発明の通気部に対応している。吸気部(30)は、本発明の送風手段を構成し、筐体(20)内に空気を引き込む３つの吸気用ファン(31a-c)と(図３参照)、吸気用ファン(31a-c)に吸い込まれる空気を除塵する吸気側フィルタアセンブリ(32)と、吸気用ファン(31a-c)及び吸気側フィルタアセンブリ(32)が取り付けられる枠体(33)とを備えている。本実施例では、吸気用ファン(31a-c)として、軸流ファンが使用されている。３つの吸気用ファン(31a-c)は、枠体(33)の長手方向又は後カバー(23)の短手方向に沿って一例に並んで、枠体(33)内に配置される。枠体(33)は、ロ字状に閉じた周壁を有しており、該周壁にはネジ止め用の孔が開設された鍔(34)が環状に形成されている。枠体(33)の端部を後カバー(23)の(左側)開口(27a)に挿入し、後カバー(23)に鍔(34)をネジ止めすることで、吸気部(30)は後カバー(23)に固定される。
【００２７】
吸気側フィルタアセンブリ(32)は、略矩形の外形を有する２つの吸気側防塵フィルタ(35a)(35b)と、これらフィルタ(35a)(35b)が取り付けられる支持部材(36)とを備えている。支持部材(36)は、細長い略矩形の板であり、吸気側防塵フィルタ(35a)(35b)は、支持部材(36)の長手方向に沿って一列に支持部材(36)に固定される。
【００２８】
図１１は、吸気側防塵フィルタ(35a)(35b)の分解斜視図である。吸気側防塵フィルタ(35a)(35b)の各々は、２つのケース半体(41)(42)を組み合わせて構成される収容ケース(43)を備えている。収容ケース(43)内には、メッシュ(44)と、集塵機能を有するフィルタ素材(45)とが重ね合わせた状態で収容される。メッシュ(44)は外気側に、フィルタ素材(45)は筐体(20)側に配置される。メッシュ(44)側のケース半体(41)には、メッシュ(44)及びフィルタ素材(45)に送られる空気が通る２つの矩形開口(46)が形成されており、フィルタ素材(45)側のケース半体(42)には、メッシュ(44)及びフィルタ素材(45)で除塵された空気が通る２つの矩形開口(47)が形成されている。
【００２９】
吸気部(30)の枠体(33)の壁部の外面には窪み(37)が形成されており、該窪み(37)の底面には、吸気側防塵フィルタ(35a)(35b)の各々に対応したスロット(38a)(38b)が開設されている(図３参照)。枠体(33)の側方より、吸気側防塵フィルタ(35a)(35b)がスロット(38a)(38b)に挿入されて、吸気側防塵フィルタ(35a)(35b)が枠体(33)内に配置される。窪み(37)に嵌め込まれた状態で支持部材(36)が枠体(33)にネジ止めされることで、吸気側フィルタアセンブリ(32)は枠体(33)に固定される。本発明において、吸気側フィルタアセンブリ(32)又は吸気部(30)が有する吸気側防塵フィルタ(35a)(35b)の数は限定されない。
【００３０】
排気部(50)の構成は、吸気部(30)の構成と類似しており、本発明の送風手段を構成し、筐体(20)内の空気を表示装置(1)の外部に送り出すための３つの排気用ファン(51a-c)(図３参照)と、これら３つの排気用ファン(51a-c)の吐出側に配置される排気側フィルタアセンブリ(52)と、排気用ファン(51a-c)及び排気側フィルタアセンブリ(52)が取り付けられる枠体(53)とを備えている。３つの排気用ファン(51a-c)は、枠体(53)の長手方向又は後カバー(23)の短手方向に沿って一例に並べて枠体(53)内に配置される。本実施例では、排気用ファン(51a-c)として、軸流ファンが使用されている。枠体(53)は、ロ字状に閉じた周壁を有しており、該周壁にはネジ止め用の孔が開設された鍔(54)が環状に形成されている。枠体(53)の端部を後カバー(23)の(右側)開口(27b)に挿入し、後カバー(23)に鍔(54)をネジ止めすることで、排気部(50)は後カバー(23)に固定される。
【００３１】
排気側フィルタアセンブリ(52)は、吸気側フィルタアセンブリ(32)と同様な構成を有しており、略矩形の外形を有する２つの排気側防塵フィルタ(55a)(55b)と、これらフィルタ(55a)(55b)が取り付けられる支持部材(56)とを備えている(図５も参照のこと)。排気側防塵フィルタ(55a)(55b)は、細長い略矩形の板である支持部材(56)の長手方向に沿って一列に並べて、支持部材(56)に固定される。排気部(50)の枠体(53)の壁部の外面には窪み(57)が形成され、該窪み(57)の底面には２つのスロット(図示せず)が開設されている。排気側フィルタアセンブリ(52)は、吸気側フィルタアセンブリ(32)と同様にして枠体(53)に取り付けられる。本発明において、排気側フィルタアセンブリ(52)又は排気部(50)が有する排気側防塵フィルタ(55a)(55b)の数は限定されない。
【００３２】
吸気用ファン(31a-c)及び排気用ファン(51a-c)が停止した場合、表示装置(1)の外部から筐体(20)内に排気部(50)を介して空気が流れ込む事態が起こり得る。排気側防塵フィルタ(55a)(55b)は、このような場合に、筐体(20)内に入り込む空気を除塵するために設けられている。吸気側防塵フィルタ(35a)(35b)よりも高い除塵性能を必要としないことから、排気側防塵フィルタ(55a)(55b)は、フィルタ素材を有してない点を除いて吸気側防塵フィルタ(35a)(35b)と同様な構成を有しているのが好ましい。
【００３３】
図３及び図４に示すように、第１フレーム(21)の短手側両端には、表示パネル(10)を挟むように吸気側ガイド部材(13)と排気側ガイド部材(16)が取り付けられている。ガイド部材(13)(16)は、表示パネル(10)などと協動して、吸気部(30)から排気部(50)に至る筐体(20)内の空気の流れを規定する。ガイド部材(13)(16)における表示装置(1)の後側に位置する面部は、後カバー(23)の矩形開口(27a)(27b)に挿入された吸気部(30)及び排気部(50)の端部と当接する。吸気側ガイド部材(13)の面部には、３つの吸気用ファン(31a-c)に夫々対応した３つの通気孔(14a-c)が開設されており、排気側ガイド部材(16)の面部には、３つの排気用ファン(51a-c)に夫々対応した３つの通気孔(17a-c)が開設されている。筐体(20)内の空気の流れについては後述する。
【００３４】
吸気部(30)の枠体(33)には、筐体(20)内の空間と連通する吸気部(30)の(枠体(33)の)後側開口(39)を塞ぐ吸気側蓋体(60)が、３つのヒンジ(61)(図２及び図１２を参照)を介して開閉自在に取り付けられている。また、排気部(50)の枠体(53)には、筐体(20)内の空間と連通する排気部(50)の(枠体(53)の)後側開口(59)を塞ぐ排気側蓋体(80)が、３つのヒンジ(81)(図１２を参照)を介して開閉自在に取り付けられている。
【００３５】
図５は、表示装置(1)を背面側から見た斜視図であり、吸気側蓋体(60)と排気側蓋体(80)とが開けられている状態を示す。吸気側蓋体(60)と吸気側蓋体(60)は、表示装置(1)の中央に向かって回転して開くので、表示装置(1)が設置された状態でも、作業者は容易に吸気側蓋体(60)又は吸気側蓋体(60)を閉状態から開状態にして、吸気側防塵フィルタ(35a)(35b)と排気側防塵フィルタ(55a)(55b)の点検や清掃等を行うことが可能である。なお、先に述べたように、表示装置(1)の掛止用部材(28)は、建物の外壁や支柱に水平に突設された支持部材を介して壁や支柱に取り付けられることから、壁や支柱と表示装置(1)の間には、吸気側蓋体(60)と吸気側蓋体(60)が開いて、後カバー(23)に対して略垂直に配置できる十分な空間が確保されている。
【００３６】
吸気部(30)の枠体(33)と吸気側蓋体(60)には、閉状態で吸気側蓋体(60)をロックする２つのロック機構(111)が設けられている。ロック機構(111)としては、例えば、吸気側蓋体(60)に設けられた環状の止め金と、吸気部(30)の枠体(33)とに設けられて、当該止め金が係止される舌片とが使用されてよい。図２に示すように、ロック機構(111)は、枠体(33)と吸気側蓋体(60)の上側と下側に設けられている。排気側蓋体(80)と排気部(50)の枠体(53)とにも、同様なロック機構(112)が上側と下側に設けられている。
【００３７】
図６乃至図９は夫々、吸気側蓋体(60)の正面図、側面図、下面図及び背面図である。図１０は、図６に示すＢ−Ｂ線を含む平面で吸気側蓋体(60)を破断した矢視断面図である。吸気側蓋体(60)は中空の矩形箱状に形成されており、その表側の主面部(62)には、複数の通気口、つまり吸気口(63)が形成されている。表示装置(1)の外部のゴミなどの異物や水は、一旦、吸気側蓋体(60)の内部空間に入り込まないと吸気部(30)、さらには、筐体(20)内に至ることできないので、吸気部(30)から筐体内への異物の侵入や水の浸入が抑制される。本実施例では、５行４列に配置された２０個の吸気口(63)が、吸気側蓋体(60)に形成されている。各吸気口(63)は、吸気側蓋体(60)の主面部(62)にその長手方向に沿って開設された長孔であり、各吸気口(63)には、吸気側蓋体(60)内へのゴミなど異物や水の侵入を抑制するフード(64)が設けられている。フード(64)は、当該吸気口(63)を覆うように、外向きに突出するように主面部(62)に形成されている。フード(64)の開放端面は、主面部(62)に略垂直にされている。
【００３８】
図６において、左から２列目にある５つの吸気口(63)のフード(64)は、右側に、つまり、それら吸気口(63)に併設された右から２列目にある５つの吸気口(63)側に開放している。これにより、左から２列目にある吸気口(63)に向かって右側からやってくる水やゴミに対して、当該吸気口(63)に併設された右から２列目にある吸気口(63)のフード(64)が障害となることで、左から２列目にある吸気口(63)から吸気側蓋体(60)内に異物や水が入り込むことが抑制又は防止される。
【００３９】
右から２列目にある５つの吸気口(63)のフード(64)は、左側に、左から２列目にある５つの吸気口(63)側に開放している。これにより、右から２列目にある吸気口(63)に向かって左側からやってくる水やゴミに対して、当該吸気口(63)に併設された左から２列目にある吸気口(63)のフード(64)が障害となることで、右から２列目にある吸気口(63)から吸気側蓋体(60)内に異物や水が入り込むことが抑制又は防止される。
【００４０】
左から１列目にある５つの吸気口(63)は、右から２列目にある５つの吸気口(63)の反対側にて、左から２列目にある５つの吸気口(63)に併設されており、左から１列目にある５つの吸気口(63)のフード(64)は、右側に、つまり、右から２列目にある５つの吸気口(63)側に開放している。これにより、左から１列目にある吸気口(63)に向かって右側からやってくる水やゴミに対して、当該吸気口(63)に併設された左から２列目にある吸気口(63)のフード(64)が障害となることで、左から１列目にある吸気口(63)から吸気側蓋体(60)内に異物や水が入り込むことが抑制又は防止される。
【００４１】
右から１列目にある５つの吸気口(63)は、左から２列目にある５つの吸気口(63)の反対側にて、右から２列目にある５つの吸気口(63)に併設されており、右から１列目にある５つの吸気口(63)のフード(64)は、左側に、つまり、左から２列目にある５つの吸気口(63)側に開放している。これにより、右から１列目にある吸気口(63)に向かって左側からやってくる水やゴミに対して、当該吸気口(63)に併設された右から２列目にある吸気口(63)のフード(64)が障害となることで、右から１列目にある吸気口(63)から吸気側蓋体(60)内に水やゴミが入り込むことが抑制又は防止される。
【００４２】
本実施例では、例えば、吸気側蓋体(60)の表側主面部(62)に対して垂直な方向から左又は右に若干ずれた向きで吸気側蓋体(60)に飛散する水(雨滴)については、吸気口(63)を通って吸気側蓋体(60)に入り込む。しかしながら、吸気口(63)及びフード(64)が上記のように構成されているので、このように飛散する水は、右２列の吸気口(63)又は左２列の吸気口(63)については、フード(64)が機能することで遮断される。なお、吸気側蓋体(60)は、吸気側蓋体(60)内に入り込んだ水が吸気部(30)に至らないように構成されているが、この点については後述する。
【００４３】
図９に示すように、吸気側蓋体(60)の裏側主面部(65)には、吸気側防塵フィルタ(35a)(35b)に夫々対応した略矩形の２つの開口(66a)(66b)が主面部(65)の長手方向に沿って一列に形成されており、吸気口(63)から流れ込んだ空気は、これら開口(66a)(66b)を通って吸気部(30)に送られる。裏側主面部(65)には、各開口(66a)(66b)について、その開口(66a)(66b)を囲む第１シール部材(67a)(67b)が固定されている。第１シール部材(67a)(67b)は、開口(66a)(66b)の縁に沿ってロ字状に配置されており、例えば接着剤を用いて裏側主面部(65)に接着されている。第１シール部材(67a)(67b)には、例えばゴム製のパッキンが使用される。
【００４４】
各第１シール部材(67a)(67b)は、吸気側防塵フィルタ(35a)(35b)の各々に対応しており、吸気側蓋体(60)が閉状態にあると、上側の第１シール部材(67a)は、上側の吸気側防塵フィルタ(35a)の収容ケース(43)の縁部に圧接され、下側の第１シール部材(67b)は、下側の吸気側防塵フィルタ(35b)の収容ケース(43)の縁部に圧接される。これにより、吸気側蓋体(60)と各第１シール部材(67a)(67b)の収容ケース(43)の間が気密にシールされて、吸気側蓋体(60)の吸気口(63)から導入された空気は、開口(66a)(66b)を通ってスムースに吸気側防塵フィルタ(35a)(35b)に送られる。第１シール部材(67a)(67b)は、吸気側防塵フィルタ(35a)(35b)の収容ケース(43)に設けられてもよい。なお、開口(66a)(66b)と第１シール部材(67a)(67b)の数は、吸気側防塵フィルタ(35a)(35b)の数に応じて変化する。
【００４５】
図４及び図５に示すように、吸気部(30)の枠体(33)の後側端部には、枠体(33)の開口(39)を囲うロ字状の第２シール部材(101)が固定されている。第２シール部材(101)には、例えばゴム製のパッキンが使用されており、接着剤を用いて吸気部(30)の枠体(33)の端部に接着されている。吸気側蓋体(60)が閉状態にあると、第２シール部材(101)は、２つの第１シール部材(67a)(67b)を囲むように吸気側蓋体(60)の裏側主面部(65)に圧接される。これによって、吸気部(30)と吸気側蓋体(60)とが水密にシールされて、吸気部(30)の枠体(33)と吸気側蓋体(60)の間の隙間を通って水が入り込む事態が防止又は抑制される。第２シール部材(101)は、吸気側蓋体(60)に設けられてもよい。
【００４６】
吸気側蓋体(60)の表側主面部(62)では、吸気側蓋体(60)内への水の浸入を抑制するフード(64)が吸気口(63)に設けられているが、上述したように、また、例えば、表示装置(1)が暴風雨に曝された場合には、吸気口(63)から吸気側蓋体(60)内に水が入り込む事態が起こり得る。吸気側蓋体(60)の表側主面部(62)の内面には邪魔板(70)が取り付けられており、吸気口(63)から入り込んだ水が、吸気側蓋体(60)の裏側主面部(65)の開口(66a)(66b)に向かって移動若しくは飛散するのを防止又は抑制する。図９に示すように、邪魔板(70)は、吸気側蓋体(66)の裏側主面部(65)側から開口(66a)(66b)を正視した場合に、開口(66a)(66b)から吸気口(63)が見えないように、吸気側蓋体(60)(の表側主面部(62))の長手方向に沿って配置されている。
【００４７】
図１０に示されるように、本実施例では、邪魔板(70)として、長手方向に沿って台形状の凸部(71)が形成されるように屈曲した帯板が使用されており、凸部(71)の頂面は、左から２列目の吸気口(63)と右から２列目の吸気口(63)(中央２列の吸気口(63))の間に接合されている。これら吸気口(63)から入り込んだ水は、邪魔板(70)に当たって、又は、邪魔板(70)に当たった後に吸気側蓋体(60)の内壁に当たって、重力の作用により、吸気側蓋体(60)の底面に落ちる。左から１列目の吸気口(63)と右から１列目の吸気口(63)から入り込んだ水は、吸気側蓋体(60)の内壁に当たって、重力の作用により、吸気側蓋体(60)の底面に落ちる。
【００４８】
吸気側蓋体(60)の底面部には、第１排水口(72)となる開口、より具体的には長孔が、吸気側蓋体(60)の短手方向に沿って開設されており、吸気側蓋体(60)の底面に落ちた水は、下向きに配置された第１排水口(72)から外部に排出される(流れ落ちる)。第１排水口(72)には、吸気側蓋体(60)の底面部からその下方に突出するフード(73)が設けられている。該フード(73)は、第１排水口(72)を覆うように形成されており、吸気部(30)又は後カバー(23)側に開いている。第１排水口(72)は、吸気口としても機能する。フード(73)の開放端面は、吸気側蓋体(60)の底面に略垂直にされている。
【００４９】
邪魔板(70)としては、適当な支持部材に支持されて裏側主面部(65)に平行に配置された帯状の平板が使用されてもよく、本発明の作用効果が得られる限りにおいて、邪魔板(70)の形状は限定されない。
【００５０】
表示装置(1)の中央側に位置する吸気側蓋体(60)の側面部にはヒンジ(61)が取り付けられており(図２参照)、当該側面部に対向しており、筐体(20)の短手側端部に近接する他方の側面部には、第２排水口(74)となる５つの開口が、より具体的には５つの長孔が形成されている。これら第２排水口(74)は、当該側面部の長手方向に沿って１列に配置されており、各々の第２排水口(74)には、吸気側蓋体(60)の側面部から側方に突出するフード(75)が設けられている。各フード(75)は、第２排水口(74)を覆うように形成されており、吸気部(30)又は後カバー(23)側に開いている。フード(75)の開放端面は、吸気側蓋体(60)の側面に略垂直にされている。第２排水口(74)は、吸気口としても機能する。第２排水口(74)の働きについては、後述する。
【００５１】
図２等に示すように、排気側蓋体(80)は、吸気側蓋体(60)と類似した構成を有している。吸気側蓋体(60)と同様に、排気側蓋体(80)は中空の矩形箱状に形成されている。表示装置(1)の外部のゴミなどの異物や水は、一旦、排気側蓋体(80)の内部空間に入り込まないと排気部(50)、さらには、筐体(20)内に至ることができないので、排気部(50)から筐体内への異物の侵入や水の浸入が抑制される。排気側蓋体(80)の表側主面部(82)には、５行４列に配置された２０個の通気口、つまり排気口(83)が、排気側蓋体(80)に形成されている。各排気口(83)は長孔である。各排気口(83)には、フード(84)が、当該排気口(83)を覆い、主面部(82)から後方に突出するように設けられている。フード(84)の開放端面は、主面部(82)に略垂直にされている。図２において左２列の排気口(83)のフード(84)は、右側に開放しており、右２列の排気口(83)のフード(84)は、左側に開放している。排気口(83)とフード(84)がこのように構成されていることで、吸気側蓋体(60)の場合と同様に、排気側蓋体(80)でも、異物や水の排気側蓋体(80)の入り込みが抑制又は防止されている。
【００５２】
図５に示すように、排気側蓋体(80)の裏側主面部(85)には、略矩形の２つの開口(86a)(86b)が裏側主面部(85)の長手方向に沿って一列に形成されており、排気側蓋体(80)の閉状態にて、排気部(50)から送られた空気は、各開口(86a)(86b)を通って、排気口(83)へと送られる。裏側主面部(85)には、各開口(86a)(86b)について、その開口(86a)(86b)を囲む第３シール部材(87a)(87b)が固定されている。第３シール部材(87a)(87b)は、開口(86a)(86b)の縁に沿ってロ字状に配置されており、例えば接着剤を用いて主面部(85)に接着されている。第３シール部材(87a)(87b)には、例えばゴム製のパッキンが使用される。
【００５３】
各第３シール部材(87a)(87b)は、排気側防塵フィルタ(55a)(55b)の各々に対応しており、排気側蓋体(80)が閉状態にあると、上側の第３シール部材(87a)は、上側の排気側防塵フィルタ(55a)の収容ケースの縁部に圧接され、下側の第３シール部材(87b)は、下側の排気側防塵フィルタ(55b)の収容ケースの縁部に圧接される。これにより、排気側蓋体(80)と排気側防塵フィルタ(55a)(55b)の収容ケースが気密にシールされて、排気側防塵フィルタ(55a)(55b)を通った空気が、排気側蓋体(80)の開口(86a)(86b)を通ってスムースに排気口(83)に送られる。第３シール部材(87a)(87b)は、排気側蓋体(80)の裏側主面部(85)に設けられてもよい。なお、開口(86a)(86b)と第３シール部材(87a)(87b)の数は、排気側防塵フィルタ(55a)(55b)の数に応じて変化する。
【００５４】
排気部(50)の枠体(53)の後側端部には、枠体(53)の後側開口を囲うロ字状の第４シール部材(102)が固定されている。第４シール部材(102)には、例えばゴム製のパッキンが使用されており、接着剤を用いて排気部(50)の枠体(53)の端部に接着されている。排気側蓋体(80)が閉状態にあると、第４シール部材(102)は、２つの第３シール部材(87a)(87b)を囲むように排気側蓋体(80)の裏側主面部(85)に圧接される。これによって、排気部(50)と排気側蓋体(80)とが水密にシールされて、排気部(50)の枠体(53)と排気側蓋体(80)の間の隙間を通って水が筐体(20)内に入り込む事態が防止される。第４シール部材(102)は、排気側蓋体(80)に設けられてもよい。
【００５５】
排気側蓋体(80)の表側主面部(82)の内面には、邪魔板(90)が取り付けられており、排気口(83)から入り込んだ水が、排気側蓋体(80)の裏側主面部(85)の開口(86a)(86b)に向かって移動又は飛散するのを防止又は抑制する。邪魔板(90)は、裏側主面部(85)側から開口(86a)(86b)を正視した場合に、開口(86a)(86b)から吸気口(83)が見えないように、排気側蓋体(80)の長手方向に沿って配置されている。
【００５６】
図４に示すように、吸気側蓋体(60)のものと同様な邪魔板(90)が、排気側蓋体(80)にも使用されており、その凸部の頂面は、左から２列目の排気口(83)と右から２列目の排気口(83)の間に接合されている。排気口(83)から入り込んだ水は、吸気側蓋体(60)の場合と同様に、排気側蓋体(80)の底面部に落ちる。排気側蓋体(80)の底面には、第３排水口(92)である開口が、より具体的には長孔が開設されており、排気側蓋体(80)の底面部に落ちた水は、下向きに配置された第３排水口(92)から外部に排出される。第３排水口(92)には、底面部から排気側蓋体(80)の下方に突出するフード(93)が設けられている。該フード(93)は、第３排水口(92)を覆うように形成されており、排気部(50)又は後カバー(23)側に開いている。フード(93)の開放端面は、排気側蓋体(80)の底面に略垂直にされている。第３排水口(92)は、排気口としても機能する。
【００５７】
表示装置(1)の中央側に位置する排気側蓋体(80)の側面部にはヒンジ(61)が取り付けられると共に、第４排水口(94)となる４つの開口が、より具体的には長孔が形成されている。これら第４排水口(94)は、当該側面部の長手方向に沿って１列に配置されており、各々の第４排水口(94)には、吸気側蓋体(60)の側面部から側方に突出するフード(95)が設けられている。各フード(95)は、第４排水口(94)を覆うように形成されており、排気部(50)又は後カバー(23)側に開いている。フード(95)の開放端面は、排気側蓋体(80)の側面に略垂直にされている。第４排水口(94)は、排気口としても機能する。
【００５８】
本実施例の表示装置(1)は、図２に示すような表示装置(1)の長手方向が水平方向となる横置き状態での使用に加えて、図１２に示すように表示装置(1)の長手方向が鉛直方向となる縦置き状態でも使用可能である。縦置き状態では、表示パネル(10)の冷却に使用されて加熱された空気を効率良く排出するために、吸気部(30)が下に、排気部(50)が上に位置するように表示装置(1)は配置される。縦置き状態では、吸気側蓋体(60)に入り込んだ水は、第２排水口(74)が開設された側面部の内面に落ちて、下向きに配置された第２排水口(74)から外部に排出される。また、表示装置(1)の縦置き状態では、排気側蓋体(80)に入り込んだ水は、下向きに配置された第４排水口(94)が開設された側面部の内面に落ちて、第４排水口(94)から外部に排出される。
【００５９】
本実施例の表示装置(1)では、横置き状態にて表示装置(1)の背面側から見て、第２排水口(74)は左向きに、つまり、吸気側蓋体(60)の左側面部に形成されており、第４排水口(74)も左向きに、つまり、排気側蓋体(80)の左側面部に形成されている。表示装置(1)の背面側から見て吸気部(30)が表示装置(1)の右端部に配置され、排気部(50)が左端部に配置される場合には、横置き状態にて、表示装置(1)の背面側から見て、第２排水口(74)が右向きに、つまり吸気側蓋体(60)の右側面部に形成され、第４排水口(74)も右向きに、つまり排気側蓋体(80)の右側面部に形成される。これにより、吸気部(30)が下に排気部(50)が上に配置されるように表示装置(1)が縦置き状態された場合に、第２排水口(74)及び第４排水口(74)から水が排出される。
【００６０】
第１排水口(72)のフード(73)と第２排水口(74)のフード(75)が、吸気部(30)又は後カバー(23)側に開いているので、横置き状態にて第２排水口(74)から、縦置き状態にて第１排水口(72)から、異物や水の吸気側蓋体(60)への入り込みが抑制されている。また、第３排水口(92)のフード(93)と第４排水口(94)のフード(95)が、排気部(50)又は後カバー(23)側に開いているので、横置き状態にて第４排水口(94)から、縦置き状態にて第３排水口(92)から異物や水の排気側蓋体(80)への入り込みが抑制されている。
【００６１】
図４には、吸気部(30)の吸気用ファン(31a-c)と排気部(50)の排気用ファン(51a-c)とが駆動している場合における表示装置(1)内の空気の流れが矢印で示されている。吸気側蓋体(60)の吸気口(63)、第１排水口(72)及び第２排水口(74)から流入した空気は、吸気側蓋体(60)の内部空間を通って、開口(66a)(66b)から吸気側防塵フィルタ(35a)(35b)に送られる。吸気側防塵フィルタ(35a)(35b)で除塵された空気は、吸気用ファン(31a-c)に吸引されて、吸気側ガイド部材(13)内の空間に送られる。前カバー(22)の保護板(26)は、表示パネル(10)の前面から離間して配置されており、吸気側ガイド部材(13)内に送られた空気は、吸気側ガイド部材(13)と表示パネル(10)の背面や端面で案内されて、保護板(26)と表示パネル(10)の前面の間の空間に送られる。当該空間に送られた空気は、表示パネル(10)の一端から他端へと移動して、表示パネル(10)の前面から熱を吸収し、排気側ガイド部材(16)内に至る。排気側ガイド部材(16)に入った空気は、排気用ファン(51a-c)に吸引される。排気用ファン(51a-c)から吐出された空気は、排気側防塵フィルタ(55a)(55b)を通って、排気側蓋体(80)の開口(86a)(86b)から排気側蓋体(80)内に送られる。排気側蓋体(80)に送られた空気は、排気側蓋体(80)の排気口(83)、第３排水口(92)及び第４排水口(94)から表示装置(1)の外部に排出される。
【００６２】
吸気側ガイド部材(13)の表示パネル(10)の背面に対して垂直に配置される壁面には、表示部材の短手方向に沿って並んだ複数の孔(15)が形成されている。また、排気側ガイド部材(16)の表示パネル(10)の背面に対して垂直に配置される壁面にも、表示装置(1)の短手方向に沿って並んだ複数の孔(18)が形成されている。故に、吸気用ファン(31a-c)に吸引されて、吸気側ガイド部材(13)内の空間に送られた空気の一部は、吸気側ガイド部材(13)の複数の孔(15)を通って、表示パネル(10)の背面に沿って排気側ガイド部材(16)へと流れて、表示パネル(10)の背面から熱を吸収する。そして、排気側ガイド部材(16)の複数の孔(18)を通って排気側ガイド部材(16)内に送られて、上述したように、表示装置(1)の外部に排出される。
【００６３】
上述したように、本実施例の表示装置(1)では、筐体(20)は、第１フレーム(21)と、前カバー(22)と、後カバー(23)とが組み合わされて構成されており、前カバー(22)の第２フレーム(24)には、保護板(26)が取り付けられており、後カバー(23)には、吸気部(30)及び排気部(50)とが取り付けられている。また、吸気側フィルタアセンブリ(32)は吸気部(30)に、排気側フィルタアセンブリ(52)は排気部(50)にスライド式に装着されている。表示装置(1)のこれらの構成要素は、隙間から入った水や塵などが表示パネル(10)に至らないような防水及び防塵構造を用いて組み合わされているが、本発明の要部とは関係ないので、詳細は省略する。
【００６４】
ちなみに、本発明の出願人が本実施例の表示装置(1)を試作したところ、横置き姿勢だけでなく縦置き姿勢においても、異物侵入防止性能及び防水性能に関する保護構造等級ＩＰ(International  Protection)５３を満たすことが確認された。即ち、表示装置(1)の所定動作および安全性を阻害する量の粉塵が筐体(20)内に入らず、鉛直から両側に６０度の範囲の降雨に伴う水の筐体(20)内への浸入を防ぐことが、試作した表示装置(1)について確認された。
【００６５】
吸気口(63)、排気口(83)、第１排水口(72)、第２排水口(74)、第３排水口(92)及び第４排水口(94)の数や形状は限定されず、例えば、第１排水口(72)や第３排水口(92)は、複数形成されてもよい。また、上記実施例において、右又は左１列目の吸気口(63)は設けられなくともよい。さらに、上記実施例において、右又は左１列目の吸気口(63)の外側に、フード(64)が同じように開放した１又は複数列の追加の吸気口(63)が設けてられてもよい。排気口(83)についても同様である。吸気及び排気性能を維持しつつ、フードで覆って放水性を高める点からすると、上記実施例のように、長孔の吸気口(63)や排気口(83)を複数設けて、長孔の長手側に沿ってフードが開放するのが好ましいであろう。
【００６６】
表示装置(1)が縦置き設置されない場合には、第２排水口(74)及び第４排水口(94)は設けられなくともよい。この場合には、上記実施例に適当な変形を行うことで、吸気側蓋体(60)と排気側蓋体(80)が閉状態にて後カバー(23)に垂直に配置されて、壁又は後カバー(23)に向かって回転して開くような構成を採用することもできる。
【００６７】
上記実施例では、吸気部(30)に吸気側蓋体(60)が設けられており、排気部(50)に排気側蓋体(80)が設けられているが、表示装置(1)の設置状況が許せば(例えば、吸気部(30)又は排気部(50)の上に屋根がある場合)、吸気側蓋体(60)又は排気側蓋体(80)が取り除かれてもよい。上記実施例では、吸気側も排気側も基本的に同じ構成を用いて異物侵入防止及び防水機能が与えられていることから理解できるように、本発明は、表示装置(1)の吸気側と排気側の各々に独立に適用できることに留意すべきである。
【００６８】
上記説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【符号の説明】
【００６９】
(10)  表示パネル
(20)  筐体
(30)  吸気部
(31a-c)  吸気用ファン
(35a)  吸気側防塵フィルタ
(35b)  吸気側防塵フィルタ
(39)  開口
(50)  排気部
(51a-c)  排気用ファン
(55a)  排気側防塵フィルタ
(55b) 排気側防塵フィルタ
(59)  開口
(60)  吸気側蓋体
(63)  吸気口
(64)  フード
(66a) 開口
(66b) 開口
(67a) 第１シール部材
(67b) 第１シール部材
(70)  邪魔板
(72)  第１排水口
(74)  第２排水口
(80)  排気側蓋体
(83)  排気口
(84)  フード
(86a) 開口
(86b) 開口
(87a) 第３シール部材
(87b) 第３シール部材
(90)  邪魔板
(92)  第１排水口
(94)  第２排水口
(101) 第２シール部材
(102) 第４シール部材
【図１】
2013134418.tif 000003
【図２】
2013134418.tif 000004
【図３】
2013134418.tif 000005
【図４】
2013134418.tif 000006
【図５】
2013134418.tif 000007
【図６】
2013134418.tif 000008
【図７】
2013134418.tif 000009
【図８】
2013134418.tif 000010
【図９】
2013134418.tif 000011
【図１０】
2013134418.tif 000012
【図１１】
2013134418.tif 000013
【図１２】
2013134418.tif 000014